(57)【要約】      （修正有）【課題】コストを削減させ且つ補修の容易な耐震建築構造を提供する。【解決手段】第一柱１００、第二柱３００、梁体５００、基準面７００及び第一耐震装置９１０を含み、第一柱の底部及び第二柱の底部と基準面とは連結され、第二柱と第一柱の間には間隔を有すると共に互いに軸方向に平行になり、梁体は第一柱の頭部及び第二柱の頭部に連結される。第一耐震装置の二端は第一柱の上部及び第二柱の下部にそれぞれ連結され、第一耐震装置の軸方向を第一柱の軸方向及び第二柱の軸方向に対し斜めにさせる。さらに、耐震建築構造８００は、第二耐震装置９２０を上記に追加しても良い。第二耐震装置９２０の二端は第一柱１００の下部及び第二柱３００の上部にそれぞれ連結され、第二耐震装置９２０の軸方向９９２を第一柱１００及び第二柱３００の軸方向７７７に対し斜めにさせる。これにより、横方向剪断力の低減効果を増強させる。【選択図】図６
0003174443.tif 000002
【実用新案登録請求の範囲】
【請求項１】
耐震建築構造であって、
それの底部と基準面が連結される第一柱と、
前記第一柱との間に間隔を有すると共に互いに軸方向に平行になり、それの底部と前記基準面は連結される第二柱と、
前記第一柱の頭部及び前記第二柱の頭部に連結される梁体と、
それの二端は前記第一柱の上部及び前記第二柱の下部にそれぞれ連結され、それの軸方向を前記第一柱の軸方向及び前記第二柱の軸方向に対し斜めにさせる第一耐震装置を含むことを特徴とする耐震建築構造。
【請求項２】
前記梁体と前記第一柱とが形成させる狭角部位に設置され、且つ前記梁体の表面に部分的に嵌設され、他の部分は前記第一柱の表面に嵌設される第一支持装置と、
前記基準面と前記第二柱とが形成させる狭角部位に設置され、且つ前記基準面の表面に部分的に嵌設され、他の部分は前記第二柱の表面に嵌設される第二支持装置を更に有し、
前記第一耐震装置の一端は前記第一支持装置に連結され、他端は前記第二支持装置に連結されることを特徴とする、請求項１に記載の耐震建築構造。
【請求項３】
前記梁体と前記第一柱とが形成させる狭角部位に設置され、前記第一支持装置に連結される第一連結装置と、
前記基準面と前記第二柱とが形成させる狭角部位に設置され、前記第二支持装置に連結される第二連結装置を更に有し、
前記第一耐震装置の一端は前記第一連結装置に連結され、他端は前記第二連結装置に連結されることを特徴とする、請求項１に記載の耐震建築構造。
【考案の詳細な説明】
【技術分野】
【０００１】
本考案は、地震が建築物に与える損害を減少させる耐震建築構造に関する。
【背景技術】
【０００２】
図１の従来の技術では、従来の建築構造80は施工時に、建築物全体の重量の支持に用いられる梁50及び耐震壁90等を多く設置させ、これらの梁50及び耐震壁90は再装飾を施す際に破壊を伴う追加等は出来ず、ともすれば建築構造の安全性に於いて大変な脅威となる。上述の耐震壁90は通常地面70と柱10並びに柱30の間に設置され、建築構造80の縦方向の圧力と地震時の横方向の剪断力の吸収に用いられる。
【考案の概要】
【考案が解決しようとする課題】
【０００３】
しかしながら、前述した従来の技術では、耐震壁の施工時に、多くは敷地に主鉄筋、あばら筋を直接架設させた後、型枠にグラウトを注入し壁体を形成させるため、相等な労力、時間及び材料を消費させ、コストも高くなる。このほか、耐震壁は地震発生時に衝撃絶縁効果を発生させると同時に、梁と柱の間が転位して裂け、損壊するために補修を必要とした。
【０００４】
本考案は、このような従来の問題に鑑みてなされたものである。上記課題解決のため、本考案は、コストを削減させ且つ補修も容易な耐震建築構造を提供することを主目的とする。
【課題を解決するための手段】
【０００５】
上述した課題を解決し、目的を達成するために、本考案に係る耐震建築構造は、
それの底部と基準面が連結される第一柱と、
第一柱との間に間隔を有すると共に互いに軸方向に平行になり、それの底部と基準面は連結される第二柱と、
第一柱の頭部及び第二柱の頭部に連結される梁体と、
それの二端は第一柱の上部及び第二柱の下部にそれぞれ連結され、それの軸方向を第一柱の軸方向及び第二柱の軸方向に対し斜めにさせる第一耐震装置を含むことを特徴とする。
【考案の効果】
【０００６】
本考案によれば、コストの削減及び補修の容易さが得られる。
【図面の簡単な説明】
【０００７】
【図１】従来の技術の概略図である。
【図２Ａ】本考案に係る実施形態の概略図である。
【図２Ｂ】本考案に係る実施形態の概略図である。
【図３Ａ】本考案に係る他の実施形態の概略図である。
【図３Ｂ】本考案に係る他の実施形態の概略図である。
【図４】図３Ｂの破線の囲むエリア555の分解図である。
【図５】本考案に係る好ましい実施形態の概略図である。
【図６】本考案に係る好ましい実施形態の概略図である。
【図７】本考案に係る連結部材を有する他の実施形の態概略図である。
【図８】本考案に係る連結部材を有する他の実施形の態概略図である。
【考案を実施するための形態】
【０００８】
以下に図面を参照して、本考案を実施するための形態について、詳細に説明する。なお、本考案は、以下に説明する実施形態に限定されるものではない。
【０００９】
まず、本考案の耐震建築構造の第１実施形態について説明する。
（第１実施形態）
本考案の第１実施形態の構成を図１から図８に示す。図２Ａと図２Ｂによると、本考案の耐震建築構造800は第一柱100、第二柱300、梁体500、基準面700及び第一耐震装置910を含む。第一柱100の底部と基準面700とは連結される。第二柱300と第一柱100との間には間隔666を有すると共に互いに軸方向に平行になり、第二柱300の底部と基準面700とは連結される。梁体500は第一柱100及び第二柱300の頭部に連結される。第一耐震装置910の二端は第一柱100の上部及び第二柱300の下部にそれぞれ連結され、第一耐震装置910の軸方向991を第一柱100と第二柱300の軸方向777に対し斜めにさせる。
【００１０】
図３Ａと図３Ｂによれば、耐震建築構造800は第二耐震装置920を含む。第二耐震装置920の二端は第一柱100の下部及び第二柱300の上部にそれぞれ連結され、第二耐震装置920の軸方向992を第一柱100及び第二柱300の軸方向777に対し斜めにさせる。これにより、横方向剪断力の低減効果を増強させる。
【００１１】
図３Ｂによると、第一耐震装置910の一端は梁体500と第一柱100とが形成させる狭角部位に連結され、他端は基準面700と第二柱300とが形成させる狭角部位に連結される。耐震建築構造800は第一支持装置210及び第二支持装置220を有する。第一支持装置210は梁体500と第一柱100とが形成させる狭角部位に設置され、また第一支持装置210は梁体500の表面に部分的に嵌設され、他の部分は第一柱100の表面に嵌設される。第二支持装置220は基準面700と第二柱300とが形成させる狭角部位に設置され、また第二支持装置220は基準面700の表面に部分的に嵌設され、他の部分は第二柱300の表面に嵌設される。第一耐震装置910の一端は第一支持装置210に連結され、他端は第二支持装置220に連結される。耐震建築構造800は第一連結装置410及び第二連結装置420を有する。第一連結装置410は梁体500と第一柱100とが形成させる狭角部位に設置されると共に第一支持装置210に連結され、第二連結装置420は基準面700と第二柱300とが形成させる狭角部位に設置されると共に第二支持装置220に連結される。第一耐震装置910の一端は第一連結装置410に連結され、他端は第二連結装置420に連結される。図４は図３Ｂの破線の囲むエリア555の分解図である。
【００１２】
第一支持装置210と第二支持装置220は湾曲される金属板が好ましく、湾曲される角度と設置される狭角部位の角度とは符合され、その上には貫通孔201を設けて第一連結装置410と第二連結装置420とをねじにより固定させる。第一連結装置410と第二連結装置420は湾曲される金属板が好ましく、湾曲される角度と設置される狭角部位の角度は符合され、第一支持装置210及び第二支持装置220の湾曲される角度ともそれぞれ符合される。湾曲される内凹部位には固定ひれ状部材401を有し、固定ひれ状部材401には貫通孔402を設けて第一耐震装置910を連結片材901によりねじで固定させて連結させる。
【００１３】
図５によると、第一耐震装置910は連結スリーブ913、第一リンケージ911及び第二リンケージ912を含む。連結スリーブ913の二端の内壁はねじ山の方向が逆の第一雌ねじ9131及び第二雌ねじ9132をそれぞれ有する。第一リンケージ911の一端は第一柱100（図６に図示する）の上部に連結され、他端の表面には第一雌ねじ9131に整合させる第一雄ねじ9111を有し、連結スリーブ913の第一雌ねじ9131を有する内壁の一端内に被覆される。第二リンケージ912の一端は第二柱300（図６に図示する）の下部に連結され、他端の表面には第二雌ねじ3192に整合させる第二雄ねじ9122を有し、連結スリーブ913の第二雌ねじ9132を有する内壁の一端内に被覆される。連結スリーブ913の二端の内壁にねじ山の方向が逆の第一雌ねじ9131及び第二雌ねじ9132をそれぞれ有するため、連結スリーブ913を回転させる事で第一耐震装置910の長さを調整させる機能を達成させ、最も好ましい剪断力削減效果を達成させる。
【００１４】
図７によれば、第一耐震装置910は連結部材915、第一リンケージ911及び第二リンケージ912を含む。連結部材915の二端の表面にはねじ山の方向が逆の第三雄ねじ9153及び第四雄ねじ9154をそれぞれ有する。第一リンケージ911の一端は第一柱100（図８に図示する）の上部に連結され、他端には第一リンケージスリーブ9116を設置させ、内壁には第三雄ねじ9153に整合させる第三雌ねじ9113を有し、第一リンケージスリーブ9116は連結部材915の第三雄ねじ9153を有する表面の一端を被覆させる。第二リンケージ912の一端は第二柱300（図８に図示する）の下部に連結され、他端には第二リンケージスリーブ9126を設置させ、第二リンケージスリーブ9126の内壁には第四雄ねじ9154に整合させる第四雌ねじ9124を有し、第二リンケージスリーブ9126は連結部材915の第四雄ねじ9154を有する表面の一端を被覆させる。
【００１５】
以上、本考案はこのような実施形態に限定されるものではなく、考案の趣旨を逸脱しない範囲において、種々の形態で実施することができる。
【符号の説明】
【００１６】
１０    柱
３０    柱
７０    地面
８０    建築構造
９０    耐震壁
１００  第一柱
２０１  貫通孔
２１０  第一支持装置
２２０  第二支持装置
４０１  固定ひれ状部材
４０２  貫通孔
４１０  第一連結装置
４２０  第二連結装置
３００  第二柱
５００  梁体
５５５  エリア
６６６  間隔
７００  基準面
７７７  軸方向
８００  耐震建築構造
９０１  連結片材
９１０  第一耐震装置
９１１  第一リンケージ
９１１１  第一雄ねじ
９１１３  第三雌ねじ
９１１６  第一リンケージスリーブ
９１２    第二リンケージ
９１２２  第二雄ねじ
９１２４  第四雌ねじ
９１２６  第二リンケージスリーブ
９１３    連結スリーブ
９１３１  第一雌ねじ
９１３１  第二雌ねじ
９１５    連結部材
９１５３  第三雄ねじ
９１５４  第四雄ねじ
９２０    第二耐震装置
９９１    軸方向
９９２    軸方向
【図１】
0003174443.tif 000003
【図２Ａ】
0003174443.tif 000004
【図２Ｂ】
0003174443.tif 000005
【図３Ａ】
0003174443.tif 000006
【図３Ｂ】
0003174443.tif 000007
【図４】
0003174443.tif 000008
【図５】
0003174443.tif 000009
【図６】
0003174443.tif 000010
【図７】
0003174443.tif 000011
【図８】
0003174443.tif 000012